(57)【特許請求の範囲】
【請求項１】
前面開口の断熱箱体からなる貯蔵庫本体と、
前記貯蔵庫本体の天井の下面に取り付けられている蒸発器を有する冷却機と、
前記蒸発器を下から覆うように前記天井に掛止され、前記蒸発器が収容されている空気循環路を形成するダクト部と、
を備え、
前記ダクト部は、
底壁と、
前記底壁から上方に向かって延びる一対の側壁と、
を有し、前記ダクト部を前記天井に掛止するための掛止部が前記側壁に設けられており、
前記天井は、開口と、前記開口を上側から塞ぐ断熱部材と、前記開口の内周面から水平方向に突出する突起であって前記掛止部が掛止される突起とを有し、
前記掛止部は前記側壁の上端面から上方に延びる略鈎状に形成されており、一方の前記側壁に設けられている前記掛止部と他方の前記側壁に設けられている前記掛止部とが上に向かって互いに離間するように傾斜している、冷却貯蔵庫。
【請求項２】
請求項１に記載の冷却貯蔵庫であって、
前記側壁は、前記側壁の外面から延びるフランジ部であって、当該フランジ部の上面が前記天井の下面に密接するフランジ部が設けられている、冷却貯蔵庫。
【請求項３】
請求項１又は請求項２に記載の冷却貯蔵庫であって、
前記掛止部は、前記側壁の上端面から上方に延びる柱部と、前記柱部の上端部から水平方向に延びる凸部とを有する略鈎状に形成されており、
前記凸部は、前記凸部の先端部から水平方向に延びるガイド部であって、下面が前記柱部から離間する方向に向かって上に傾斜し、前記掛止部を前記突起に掛止する際に前記凸部を前記突起の上に案内するガイド部を有する、冷却貯蔵庫。
【請求項４】
請求項３に記載の冷却貯蔵庫であって、
前記凸部は下面が前記柱部から離間する方向に向かって上に傾斜しており、
前記ガイド部の下面の傾斜角度は前記凸部の下面の傾斜角度より大きい、冷却貯蔵庫。
【請求項５】
前面開口の断熱箱体からなる貯蔵庫本体と、
前記貯蔵庫本体の天井の下面に取り付けられている蒸発器を有する冷却機と、
前記蒸発器を下から覆うように前記天井に掛止され、前記蒸発器が収容されている空気循環路を形成するダクト部と、
を備え、
前記ダクト部は、
底壁と、
前記底壁から上方に向かって延びる一対の側壁と、
を有し、前記ダクト部を前記天井に掛止するための掛止部が前記側壁に設けられており、
前記ダクト部は、前記掛止部と前記側壁とに跨って一体に形成されているリブであって、前記空気循環路に収容されている電気部品から延びる電線が巻かれる電線係止部を有するリブが設けられている、冷却貯蔵庫。
【発明の詳細な説明】
【技術分野】
【０００１】
天井に掛止されて蒸発器が収容されている空気循環路を形成するダクト部を備える冷却貯蔵庫に関する。
【背景技術】
【０００２】
従来、貯蔵庫本体の天井の下面に取り付けられている蒸発器を下から覆うように天井に掛止されて蒸発器が収容されている空気循環路を形成するダクト部を備える冷却貯蔵庫が知られている（例えば、特許文献１参照）。
【０００３】
特許文献１に記載のダクト部は、底壁と、底壁から上方に向かって延びる一対の側壁と、側壁から所定寸法内側に入った位置に設けられている取付板とを有し、ダクト部を天井に掛止するための掛止部が取付板に設けられている。特許文献１に記載の冷却貯蔵庫では取付板が側壁の近くに設けられており、このため側壁と取付板との間に狭い空間が形成されている。
【先行技術文献】
【特許文献】
【０００４】
【特許文献１】特開２００７−２４３８１号公報
【発明の概要】
【発明が解決しようとする課題】
【０００５】
上述した特許文献１に記載の冷却貯蔵庫では、側壁と取付板との間の空間に氷ができる可能性がある。一般に冷却貯蔵庫は圧縮機を停止させて除霜を行うので氷ができても除霜の際に溶けるが、側壁と取付板との間の空間が狭いと氷が溶けずに残ってしまう可能性がある。氷が溶けずに残ってしまった場合、その氷が成長してダクト部が変形あるいは破損してしまう虞がある。
【０００６】
本明細書では、除霜の際に溶けずに残った氷が成長してダクト部が変形あるいは破損してしまうことを防止する技術を開示する。
【課題を解決するための手段】
【０００７】
本明細書で開示する冷却貯蔵庫は、前面開口の断熱箱体からなる貯蔵庫本体と、前記貯蔵庫本体の天井の下面に取り付けられている蒸発器を有する冷却機と、前記蒸発器を下から覆うように前記天井に掛止され、前記蒸発器が収容されている空気循環路を形成するダクト部と、を備え、前記ダクト部は、底壁と、前記底壁から上方に向かって延びる一対の側壁と、を有し、前記ダクト部を前記天井に掛止するための掛止部が前記側壁に設けられている。
【０００８】
上記の冷却貯蔵庫によると、掛止部がダクト部の側壁に設けられているので、ダクト部は掛止部が設けられている取付板を側壁とは別に備えなくてよい。取付板を備えなければ、側壁と取付板との間の空間が存在しないので、側壁と取付板との間の空間に残った氷が成長してダクト部が変形あるいは破損してしまうことを防止できる。
【０００９】
また、前記側壁は、前記側壁の外面から延びるフランジ部であって、当該フランジ部の上面が前記天井の下面に密接するフランジ部が設けられていてもよい。
【００１０】
上記の冷却貯蔵庫によると、フランジ部の上面が天井の下面に密接することにより、空気循環路内の空気が側壁と天井との間から漏れ出てしまうことを抑制できる。
【００１１】
また、前記天井は、開口と、前記開口を上側から塞ぐ断熱部材と、前記開口の内周面から水平方向に突出する突起であって前記掛止部が掛止される突起とを有し、前記掛止部は前記側壁の上端面から上方に延びる略鈎状に形成されており、一方の前記側壁に設けられている前記掛止部と他方の前記側壁に設けられている前記掛止部とが上に向かって互いに離間するように傾斜していてもよい。
【００１２】
略鈎状の掛止部を突起に掛止した場合、輸送時にダクト部が突起の突出方向に振動したり、あるいはダクト部の取り付け作業中にダクト部が突起の突出方向に押されたりしたときに、掛止部が突起の突出方向の先端から突出方向に外れてしまう虞がある。
上記の冷却貯蔵庫によると、一方の側壁に設けられている掛止部と他方の側壁に設けられている掛止部とが上に向かって互いに離間するように傾斜しているので、各掛止部はそれぞれ開口の内周面に向けて押し付けられる。これにより、掛止部が突起から突出方向に外れてしまうことを抑制できる。
【００１３】
また、前記天井は、開口と、前記開口を上側から塞ぐ断熱部材と、前記開口の内周面から水平方向に突出する突起であって前記掛止部が掛止される突起とを有し、前記掛止部は、前記側壁の上端面から上方に延びる柱部と、前記柱部の上端部から水平方向に延びる凸部とを有する略鈎状に形成されており、前記凸部は、前記凸部の先端部から水平方向に延びるガイド部であって、下面が前記柱部から離間する方向に向かって上に傾斜し、前記掛止部を前記突起に掛止する際に前記凸部を前記突起の上に案内するガイド部を有していてもよい。
【００１４】
掛止部が側壁の上端面に設けられている場合、作業者が掛止部を突起に掛止するとき、掛止部を目視確認することが難しい。このため、掛止部を突起に掛止する作業にコツや経験が必要になる虞がある。
上記の冷却貯蔵庫によると、掛止部を突起に掛止する際にガイド部によって凸部が突起の上に案内されるので、掛止部を突起に掛止する作業が容易になる。
【００１５】
また、前記凸部は下面が前記柱部から離間する方向に向かって上に傾斜しており、前記ガイド部の下面の傾斜角度は前記凸部の下面の傾斜角度より大きくてもよい。
【００１６】
上記の冷却貯蔵庫によると、凸部を突起の上により確実に案内することができる。
【００１７】
また、前記ダクト部は、前記掛止部と前記側壁とに跨って一体に形成されているリブであって、前記空気循環路に収容されている電気部品から延びる電線が巻かれる電線係止部を有するリブが設けられていてもよい。
【００１８】
上記の冷却貯蔵庫によると、リブを設けることで掛止部の強度が増すとともに、空気循環路に収容されている電気部品から延びる電線を電線係止部に巻きつけてまとめることにより、ダクト部の組み付け作業が容易になる。
【発明の効果】
【００１９】
本明細書で開示する冷却貯蔵庫によれば、除霜の際に溶けずに残った氷が成長してダクト部が変形あるいは破損してしまうことを防止できる。
【図面の簡単な説明】
【００２０】
【図１】実施形態１に係る冷却貯蔵庫の正面図
【図２】図１に示すＡ−Ａ線の断面図
【図３】断熱箱体の天井壁の上面図
【図４】冷却貯蔵庫のダクト部周辺の断面図
【図５】冷却貯蔵庫のダクト部周辺の断面斜視図
【図６】ダクト部の斜視図
【図７】ダクト部の上面図
【図８】実施形態２に係るダクト部の正面図
【図９】実施形態３に係るダクト部周辺の断面図
【図１０】実施形態４に係るダクト部周辺の断面斜視図
【発明を実施するための形態】
【００２１】
＜実施形態１＞
以下、実施形態１を図１ないし図７に基づいて説明する。以降の説明において上下方向、及び、左右方向とは図１に示す上下方向、及び、左右方向のことをいい、前後方向とは図２に示す前後方向のことをいうものとする。
【００２２】
（１）冷蔵庫の全体構成
図１を参照して、実施形態１に係る冷却貯蔵庫としての冷蔵庫１の全体構成について説明する。冷蔵庫１は業務用の４ドア式のものであり、前面開口の断熱箱体からなる貯蔵庫本体１０を備えている。貯蔵庫本体１０には前面開口を開閉する観音開き式の左右一対の断熱扉１２が上下に二組取り付けられている。また、貯蔵庫本体１０の下面には貯蔵庫本体１０を支持する４つの脚部１３が取り付けられている。
【００２３】
貯蔵庫本体１０の上には上側が開放されている機械室１１が設けられている。機械室１１には図示しない制御部や、冷却機をユニット化した冷却ユニット３０（図２参照）が収容されている。図示しない制御部は庫内温度に応じて冷却機の運転と停止とを切り替えることにより、庫内温度が庫内設定温度に略一定となるように制御する。
【００２４】
また、機械室１１の前面には操作部１４が設けられている。操作部１４は上述した庫内設定温度などの各種の設定値をユーザが設定するための操作ボタンや、庫内温度などの冷蔵庫１の状態に関する各種の情報を表示する表示装置を備えて構成されている。なお、操作部１４はタッチパネルによって構成されてもよい。
【００２５】
（２）貯蔵庫本体の内部構造
図２に示すように、貯蔵庫本体１０の左側の内壁面２０、及び、後側の内壁面２１には棚受部材２２が固定されている。また、貯蔵庫本体１０の図示しない右側の内壁面にも棚受部材２２が固定されている。これらの棚受部材２２には上下方向に複数の段部が設けられており、それらの段部によって棚網２３が多段に支持されている。
【００２６】
貯蔵庫本体１０の後側の壁１０Ｃには上下方向に貫通する排水路１０Ｄが形成されている。また、後側の壁１０Ｃには庫内と排水路１０Ｄとを連通する連通穴１０Ｅが形成されている。排水路１０Ｄ及び連通穴１０Ｅは後述する除霜水を排水するためのものである。排水路１０Ｄの下端にはドレンホースが接続され、除霜水はドレンホースによって所定の排水箇所に排水される。
【００２７】
また、貯蔵庫本体１０の天井壁１０Ａには略矩形の開口１０Ｂが形成されている。図３に示すように開口１０Ｂには上から合成樹脂製の枠部材２４が嵌合装着されている。枠部材２４の内周面のうち左右の内周面にはそれぞれ水平方向に突出する２つの突起２５Ｆ，２５Ｒが前後に離間して設けられている。
図４に示すように、前側の突起２５Ｆは上面が後側に向かって下に傾斜している。一方、後側の突起２５Ｒは上面の前側が後側に向かって上に傾斜しており、後側は略水平となっている。
【００２８】
以降の説明において突起２５Ｆと突起２５Ｒとを互いに区別しない場合は単に突起２５と記す。以降に説明する他の構成要素についても同様である。
【００２９】
（３）冷却ユニット
次に、図２を参照して、冷却ユニット３０について説明する。冷却ユニット３０は冷却機を構成する圧縮機３１、凝縮器３２、蒸発器３３、キャピラリチューブ（図示せず）などを断熱性のユニット台３５に取り付けることによってユニット化したものである。ユニット台３５は断熱部材の一例である。
【００３０】
具体的には、圧縮機３１、凝縮器３２、及び、キャピラリチューブはユニット台３５の上面に取り付けられており、蒸発器３３はユニット台３５の下面に取り付けられている。また、ユニット台３５の下面には庫内温度を検出するための庫内温度センサ３６が取り付けられている。
【００３１】
図２及び図５に示すように、ユニット台３５は貯蔵庫本体１０の天井壁１０Ａに形成されている開口１０Ｂよりも一回り大きい略矩形に形成されており、開口１０Ｂを塞ぐように天井壁１０Ａの上に配置されている。蒸発器３３はユニット台３５の下面に取り付けられているので機械室１１には収容されておらず、天井とダクト部３７とによって構成される空気循環路に収容されている。
【００３２】
貯蔵庫本体１０の天井壁１０Ａ、枠部材２４、及び、ユニット台３５は貯蔵庫本体１０の「天井」の一例である。つまり、本実施形態では貯蔵庫本体１０の「天井」は貯蔵庫本体１０の天井壁１０Ａ、枠部材２４、及び、ユニット台３５によって構成されている。
【００３３】
（４）ダクト部
図２に示すように、ダクト部３７は蒸発器３３を下から覆うように貯蔵庫本体１０の天井に掛止されている。ダクト部３７は天井との間に蒸発器３３が収容されている空気循環路を形成するためのものである。
【００３４】
また、ダクト部３７は蒸発器３３に付着した霜が溶けた水である除霜水を受けるドレンパンとしての役割も有している。具体的には、前述したように制御部は冷却機の運転と停止とを切り替える。冷却機が停止すると庫内温度が上昇し、蒸発器３３に付着した霜が溶ける。その霜が溶けた水が除霜水としてダクト部３７によって受けられる。
ダクト部３７は合成樹脂製であり、図６に示すように底壁４１と底壁４１の左右両側の縁部から上方に向かって略平行に延びる一対の側壁４２Ｌ，４２Ｒとを有している。
【００３５】
（４−１）底壁
底壁４１は天井壁１０Ａの開口１０Ｂとほぼ同じ大きさの平面略方形の皿状に形成されており、前側に円形の吸込口４３が形成されている。吸込口４３の開口縁部には上方に立ち上がる環状の壁４４が形成されている。
図２に示すように、環状の壁４４には庫内の空気を空気循環路に吸い込むための庫内ファン３８が上から嵌合装着される。庫内ファン３８が回転すると庫内の空気が吸込口４３から空気循環路に吸い込まれ、蒸発器３３によって冷却される。
【００３６】
また、図６に示すように、底壁４１の後側の縁部には上に立ち上がる奥壁４５が形成されている。奥壁４５はダクト部３７によって受けられた除霜水が庫内に流れ落ちないようにするためのものである。奥壁４５の高さは空気循環路を塞いでしまわないよう側壁の後端部の高さの１／４〜１／３程度である。
【００３７】
また、奥壁４５には除霜水を排水路１０Ｄに排出するための溝を形成する排水部４６が後側に突出するように形成されている。具体的には、奥壁４５は貯蔵庫本体１０の後側の壁１０Ｃに形成されている連通穴１０Ｅに対応する位置が切り欠かれており、排水部４６はその切り欠きの周囲の縁部から後側に向かって下に傾斜しながら延びている。排水部４６は側壁４２の後端より後側まで延びており、図２に示すように先端部分が連通穴１０Ｅに挿入される。
【００３８】
また、図７に示すように、奥壁４５は側壁４２の後端より前側に位置している。このため、ダクト部３７が天井に掛止されたとき、奥壁４５と貯蔵庫本体１０の後側の壁１０Ｃとの間に隙間ができる。この隙間が吹出口として機能し、蒸発器３３によって冷却された空気がその吹出口から庫内に吹き出される。
【００３９】
（４−２）側壁
図６に戻る。一対の側壁４２Ｌ，４２Ｒは、左側の側壁４２Ｌの外面（左側を向く面）と右側の側壁４２Ｒの外面（右側を向く面）との間隔が、天井壁１０Ａに形成されている開口１０Ｂの左右方向の内径と略一致している。
側壁４２は前側から後側に向けて次第に背が高くなるように形成されており、ダクト部３７は側壁４２の上縁が水平姿勢をなすように天井に掛止される。このため、ダクト部３７が天井に掛止されているとき、底壁４１は後側に向けて下り勾配となった傾斜姿勢となる。
【００４０】
側壁４２の上端面にはそれぞれ前後に離間して２つの掛止部４７Ｆ，４７Ｒが一体に形成されている。掛止部４７Ｆ，４７Ｒは天井壁１０Ａの開口１０Ｂに設けられている突起２５にダクト部３７を掛止するためのものである。
【００４１】
図４に示すように、掛止部４７は側壁４２の上端面から上方に延びる柱部４８と、柱部４８の上端部から後側に向かって突出する凸部４９とを有する略鈎状に形成されている。前側の掛止部４７Ｆは凸部４９の下面が後側に向かって下に傾斜している。一方、後側の掛止部４７Ｒは凸部４９の下面が後側に向かって上に傾斜している。
【００４２】
掛止部４７を上述した形状にした理由は、凸部４９の下面を後側に向かって上り勾配とすれば掛止部４７を突起２５に掛け易くなるが、掛止部４７Ｆ，４７Ｒとも凸部４９の下面を上り勾配にするとダクト部３７がずり落ちる虞があるため、片方の掛止部４７Ｒのみ下面を上り勾配にすることにより、掛止部４７Ｒを突起２５Ｒに掛け易くしつつダクト部３７がずり落ちないようにするためである。
【００４３】
また、図６に示すように、側壁４２にはフランジ部５１Ｌ，５１Ｒが一体に形成されている。フランジ部５１は天井壁１０Ａに密接して空気循環路内の空気が側壁４２と天井壁１０Ａとの間から庫内に漏れ出てしまうことを抑制するものである。
【００４４】
具体的には、右側の側壁４２Ｒに設けられているフランジ部５１Ｒは、側壁４２Ｒの外面（右側を向く面）の上端縁部から前後方向全体に亘って右側に略水平に延びている。また、フランジ部５１Ｒの後端部は側壁４２Ｒの後端で下に９０度曲がっており、側壁４２Ｒの後側の縁部に沿って下に延びている。
【００４５】
同様に、左側の側壁４２Ｌに設けられているフランジ部５１Ｌは側壁４２Ｌの外面（左側を向く面）の上端縁部から前後方向全体に亘って左側に略水平に延びている。フランジ部５１Ｌの後端部も側壁４２Ｌの後端で下に９０度曲がっており、側壁４２Ｌの後側の縁部に沿って下に延びている。
【００４６】
また、ダクト部３７には底壁４１の前側の縁部にもフランジ部５２が一体に形成されている。フランジ部５２は底壁４１の前側の縁部から左右方向全体に亘って前側に略水平に延びている。フランジ部５１及びフランジ部５２は一体化しており、上面が面一になっている。
【００４７】
フランジ部５１Ｌ及びフランジ部５１Ｒには後側によった位置に水平方向に張り出す張り出し部が形成されており、その張り出し部にネジ穴５３が形成されている。また。フランジ部５２には左右方向の中央部及び左右の端部にネジ穴５３が形成されている。
【００４８】
（５）ダクト部の取り付け
ダクト部３７は、前後の掛止部４７がそれぞれ前後の突部２５よりも前側に外れた位置で、フランジ部５１及び５２の上面が天井壁１０Ａの下面に当接するまで押し上げられる。フランジ部５１及び５２の上面が天井壁１０Ａの下面に当接したとき掛止部４７の凸部４９の下面は突起２５の上方に位置し、その状態でダクト部３７が後側に押し込まれることによって掛止部４７が突起２５に掛かる。
【００４９】
そして、その状態でフランジ部５１及び５２が天井壁１０Ａにねじ止めされることにより、フランジ部５１及び５２の上面が天井壁１０Ａの下面に密接する。これにより、空気循環路内の空気が側壁４２と天井壁１０Ａとの間から庫内に漏れ出てしまうことや、空気循環路内の空気が底壁４１の前側の縁部と天井壁１０Ａとの間から庫内に漏れ出てしまうことが抑制される。
【００５０】
（６）実施形態の効果
以上説明した実施形態１に係る冷蔵庫１によると、掛止部４７がダクト部３７の側壁４２に設けられているので、ダクト部３７は掛止部が設けられている取付板を側壁４２とは別に備えなくてよい。取付板を備えなければ、側壁４２と取付板との間の空間が存在しないので、側壁４２と取付板との間の空間に残った氷が成長してダクト部３７が変形あるいは破損してしまうことを防止できる。
【００５１】
更に、冷却貯蔵庫によると、側壁４２の外面に設けられているフランジ部５１の上面が天井の下面に密接するので、空気循環路内の空気が側壁４２と天井との間から漏れ出てしまうことを抑制できる。
【００５２】
＜実施形態２＞
次に、実施形態２を図８によって説明する。
略鈎状の掛止部４７を突起２５に掛止した場合、輸送時にダクト部３７が左右方向（突起２５の突出方向）に振動したり、あるいはダクト部３７の取り付け作業中にダクト部３７が左右方向（突起２５の突出方向）に押されたりしたときに、掛止部４７が突起２５の左右方向の先端から左右方向に外れてしまう虞がある。
【００５３】
そこで、図８に示すように、実施形態２に係るダクト部２３７は、左側の掛止部２４７Ｌと右側の掛止部２４７Ｒとが上に向かって互いに離間するように傾斜している。
実施形態２に係る冷蔵庫の構成はその他の点において実施形態１に係る冷蔵庫１の構成と実質的に同一である。
【００５４】
以上説明した実施形態２に係る冷蔵庫によると、一方の側壁４２に設けられている掛止部２４７と他方の側壁４２に設けられている掛止部２４７とが上に向かって互いに離間するように傾斜しているので、各掛止部４７はそれぞれ開口１０Ｂの内周面に向けて押し付けられる。これにより、掛止部２４７が突起２５の左右方向の先端から左右方向に外れてしまうことを抑制できる。
【００５５】
＜実施形態３＞
次に、実施形態３を図９によって説明する。
掛止部４７が側壁４２の上端面に設けられている場合、作業者は掛止部４７を突起２５に掛止するとき、掛止部４７を目視確認することが難しい。このため、掛止部４７を突起２５に掛止する作業にコツや経験が必要になる虞がある。
【００５６】
そこで、図９に示すように、実施形態３に係る後側の掛止部３４７Ｒには、凸部４９の後側の先端部から後側に突出するガイド部５５が設けられている。ガイド部５５は掛止部３４７Ｒを突起２５Ｒに掛止する際に凸部４９を突起２５Ｒの上に案内するためのものである。
【００５７】
図９に示すようにガイド部５５は下面が後側に向かって上に傾斜しており、その傾斜角度は凸部４９の下面の傾斜角度より大きくなっている。
実施形態３に係る冷蔵庫の構成はその他の点において実施形態１に係る冷蔵庫１の構成と実質的に同一である。
【００５８】
以上説明した実施形態３に係る冷蔵庫によると、掛止部３４７Ｒを突起２５Ｒに掛止する際にガイド部５５によって凸部４９が突起２５Ｒの上に案内されるので、掛止部３４７Ｒを突起２５Ｒに掛止する作業が容易になる。
【００５９】
更に、冷蔵庫１によると、ガイド部５５の下面の傾斜角度が凸部４９の下面の傾斜角度より大きいので、凸部４９を突起２５Ｒの上により確実に案内することができる。
【００６０】
＜実施形態４＞
次に、実施形態４を図１０によって説明する。
図１０に示すように、実施形態４に係るダクト部４３７は、右側の側壁４２Ｒに設けられている二つの掛止部４７のうち前側の掛止部４７Ｆと側壁４２Ｒとに跨るリブ６０が一体に形成されている。より具体的には、リブ６０はダクト部４３７の内側において掛止部４７Ｆ及び側壁４２Ｒに対して水平方向に垂直に突出し、上下方向に延びている。
【００６１】
また、リブ６０は上端部６１が掛止部４７Ｆから離間している。そして、庫内ファン３８から引き出された電線７０は図１０に示すようにリブ６０の上端部６１に一巻き以上巻かれ、ユニット台３５と貯蔵庫本体１０の天井壁１０Ａとの間に設けられている電線導出用の隙間から機械室１１に導出されている。
実施形態４に係る冷蔵庫の構成はその他の点において実施形態１に係る冷蔵庫１の構成と実質的に同一である。
【００６２】
上端部６１は電線係止部の一例である。また、庫内ファン３８は電気部品の一例である。なお、電気部品は庫内ファン３８に限定されるものではなく、例えば庫内温度センサ３６であってもよい。
【００６３】
以上説明した実施形態４に係る冷蔵庫によると、リブ６０を設けることで右側の掛止部４７Ｆの強度が増すとともに、庫内ファン３８から延びる電線７０を上端部６１に巻きつけてまとめることにより、ダクト部３７の組み付け作業が容易になる。
【００６４】
＜他の実施形態＞
本明細書によって開示される技術は上記記述及び図面によって説明した実施形態に限定されるものではなく、例えば次のような実施形態も本明細書によって開示される技術的範囲に含まれる。
【００６５】
（１）上記実施形態では柱部４８の上端部から凸部４９が後側に延びている場合を例に説明した。これに対し、凸部４９は柱部４８の上端部から前側に延びていてもよい。
【００６６】
（２）上記実施形態では掛止部４７が略鈎状である場合を例に説明した。しかしながら、掛止部４７は天井に掛かる形状であれば略鈎状に限られない。
【００６７】
（３）上記実施形態では掛止部４７が側壁４２の上端面に設けられている場合を例に説明した。これに対し、掛止部４７は例えば側壁４２の外面に設けられていてもよい。
【００６８】
（４）上記実施形態では一つの側壁４２に掛止部４７が２つ設けられている場合を例に説明した。しかしながら、掛止部４７の数は２つに限られるものではなく、１つであってもよいし、３つ以上であってもよい。
【００６９】
（５）上記実施形態３ではガイド部５５の下面の傾斜角度が凸部４９の下面の傾斜角度より大きい場合を例に説明した。これに対し、ガイド部５５の下面の傾斜角度は凸部４９の下面の傾斜角度と同じであってもよい。
【００７０】
（６）上記実施形態では前側の突起２５Ｆは上面が後側に向かって下に傾斜しており、後側の突起２５Ｒは上面の前側が後側に向かって上に傾斜するとともに後側が略水平となっている場合を例に説明した。これに対し、突起２５Ｆの形状と突起２５Ｒの形状とが逆になっていてもよい。その場合は掛止部４７の凸部４９の下面もそれに応じて傾斜させるものとする。
【００７１】
（７）上記実施形態では冷却貯蔵庫として冷蔵庫を例に説明したが、冷却貯蔵庫は冷凍庫であってもよい。
【符号の説明】
【００７２】
１・・・冷蔵庫、１０・・・貯蔵庫本体、１０Ａ・・・天井壁、２４・・・枠部材、２５Ｆ，２５Ｒ・・・突起、３０・・・冷却ユニット、３３・・・蒸発器、３５・・・ユニット台、３７・・・ダクト部、４１・・・底壁、４２・・・側壁、４７Ｆ，４７Ｒ・・・掛止部、４８・・・柱部、４９・・・凸部、５１Ｌ，５１Ｒ・・・フランジ部、５５・・・ガイド部、６０・・・リブ、２３７・・・ダクト部、２４７Ｌ・・・掛止部、２４７Ｒ・・・掛止部、３４７Ｒ・・・掛止部、４３７・・・ダクト部、７０・・・電線
【図１】
0006636699.tif 000002
【図２】
0006636699.tif 000003
【図３】
0006636699.tif 000004
【図４】
0006636699.tif 000005
【図５】
0006636699.tif 000006
【図６】
0006636699.tif 000007
【図７】
0006636699.tif 000008
【図８】
0006636699.tif 000009
【図９】
0006636699.tif 000010
【図１０】
0006636699.tif 000011